(57)【要約】【課題】カメラの携帯性を維持しつつ、カメラに付加機能を追加できる信号交信部を設けた光学装置およびカメラユニットを提供する。【解決手段】被写体からの光路をほぼ直角に折り曲げる屈曲部を有する撮像レンズと撮像素子とを有するカメラユニットを着脱自在に本体ユニットに装着させ、本体ユニットと信号を交信するカメラ信号交信部を屈曲部の被写体とは反対の部分に設けたことを特徴とする光学装置およびカメラユニット。【選択図】図３
2007174040.tif 000002
【特許請求の範囲】
【請求項１】
被写体からの光を入射させる開口を有するカメラ筐体と、前記開口に入射した光を撮像素子に結像させる撮像レンズと、カメラ信号交信部とを有するカメラユニットと、
前記カメラユニットが着脱可能に装着される本体筐体と、前記カメラユニットが装着された時に前記カメラ信号交信部と信号を交信する本体信号交信部とを有する本体ユニットとを備え、
前記撮像レンズは被写体からの光を略直角に折り曲げる屈曲部を有し、
前記カメラ信号交信部は前記屈曲部の被写体とは反対側の位置に配置されていることを特徴とする光学装置。
【請求項２】
前記本体信号交信部が本体コネクタ部を有し、前記カメラ信号交信部は、前記本体コネクタ部に着脱可能に接続されるカメラコネクタ部を有し、前記カメラユニットが収納部を有し、前記収納部が前記カメラコネクタ部を収納することを特徴とする請求項１に記載の光学装置。
【請求項３】
前記収納部が前記カメラ筐体に着脱可能に装着される収納蓋を備えることを特徴とする請求項２に記載の光学装置。
【請求項４】
前記カメラコネクタ部が前記屈曲部の反射面に対して略垂直に配置されていることを特徴とする請求項３に記載の光学装置。
【請求項５】
前記収納部には開閉可能で閉方向に付勢されたシャッタ部が設けられ、前記カメラコネクタ部が前記本体コネクタ部に接続される時に、前記シャッタ部が開けられることを特徴とする請求項２に記載の光学装置。
【請求項６】
前記収納部には前記カメラコネクタ部が挿脱できる孔部が設けられ、前記カメラコネクタ部が前記本体コネクタ部に接続される時に、前記カメラコネクタ部が前記孔部から突出することを特徴とする請求項２に記載の光学装置。
【請求項７】
前記本体コネクタ部と前記カメラコネクタ部がＵＳＢコネクタであることを特徴とする請求項２乃至６のいずれか１項に記載の光学装置。
【請求項８】
前記本体コネクタ部が凹形状であり、前記カメラコネクタ部が凸形状であることを特徴とする請求項２乃至７のいずれか１項に記載の光学装置。
【請求項９】
前記本体信号交信部と前記カメラ信号交信部は、それぞれ赤外線通信部を有することを特徴とする請求項１に記載の光学装置。
【請求項１０】
前記本体ユニットは検知スイッチと前記赤外線通信部に電源を供給する電源部が設けられ、前記カメラユニットが前記本体ユニットに装着された時に前記検知スイッチが作動し、前記検知スイッチの信号に応じて前記電源部が前記赤外線通信部に電源を供給することを特徴とする請求項９に記載の光学装置。
【請求項１１】
被写体からの光を撮像素子に結像させる撮像レンズと、外部機器と信号交信するカメラ信号交信部とを有するカメラユニットであって、
前記撮像レンズは被写体からの光束を略直角に折り曲げる屈曲部を有し、
前記カメラ信号交信部は前記屈曲部の被写体とは反対側の位置に配置されていることを特徴とするカメラユニット。
【請求項１２】
前記カメラ信号交信部から送受信される信号を保存する記憶部が設けられていることを特徴とする請求項１１に記載のカメラユニット。
【発明の詳細な説明】
【技術分野】
【０００１】
本発明は、カメラユニットが本体ユニットに着脱自在に構成される光学装置およびカメラユニットに関し、特に、本体ユニットとカメラユニットとの間で信号の交信を行う光学装置およびカメラユニットに関するものである。
【背景技術】
【０００２】
近年、パーソナルコンピュータの普及に伴い、手軽にパーソナルコンピュータに画像を取り込めるデジタルカメラが普及している。また、モバイルコンピュータ、携帯電話、携帯情報端末（ＰＤＡ：Ｐｅｒｓｏｎａｌ  Ｄｉｇｉｔａｌ  Ａｓｓｉｓｔａｎｔ）等の情報処理機器にデジタルカメラを組み込むことも一般化している。このようなデジタルカメラの普及にともない、プリント、保存などを行う周辺機器に画像情報を伝送することができるデジタルカメラが要望されるようになって、カメラと周辺機器間で信号を交信する技術が開示されている。
【０００３】
例えば、特許文献１には、カメラにプリンタを着脱可能に装着し、カメラ前面のコネクタとプリンタ後面のコネクタを接続させて信号を交信することが開示されている。
【０００４】
また、特許文献２には、カメラ機能が付いた携帯電話を収納するアダプタが開示され、アダプタの無線伝送部から携帯電話に信号を伝送し、アダプタのレリーズ操作に同期させて携帯電話のカメラで撮像することが開示されている。
【特許文献１】特開２００５−２７１４２号公報
【特許文献２】特開２００２−６２５７８号公報
【発明の開示】
【発明が解決しようとする課題】
【０００５】
ところが、特許文献１、２においては、信号を交信するコネクタ接続部や無線伝送部を配設するスペースが必要であり、カメラが大型化する。
【０００６】
本発明はこのような問題点に鑑みてなされたもので、カメラの携帯性を維持しつつ、カメラに付加機能を追加できる信号交信部を設けた光学装置およびカメラユニットを提供することを目的とする。
【課題を解決するための手段】
【０００７】
上記の課題は次の構成により解決される。
【０００８】
１．  被写体からの光を入射させる開口を有するカメラ筐体と、前記開口に入射した光を撮像素子に結像させる撮像レンズと、カメラ信号交信部とを有するカメラユニットと、前記カメラユニットが着脱可能に装着される本体筐体と、前記カメラユニットが装着された時に前記カメラ信号交信部と信号を交信する本体信号交信部とを有する本体ユニットとを備え、
前記撮像レンズは被写体からの光を略直角に折り曲げる屈曲部を有し、
前記カメラ信号交信部は前記屈曲部の被写体とは反対側の位置に配置されていることを特徴とする光学装置。
【０００９】
２．  前記本体信号交信部が本体コネクタ部を有し、前記カメラ信号交信部は、前記本体コネクタ部に着脱可能に接続されるカメラコネクタ部を有し、前記カメラユニットが収納部を有し、前記収納部が前記カメラコネクタ部を収納することを特徴とする１に記載の光学装置。
【００１０】
３．  前記収納部が前記カメラ筐体に着脱可能に装着される収納蓋を備えることを特徴とする２に記載の光学装置。
【００１１】
４．  前記カメラコネクタ部が前記屈曲部の反射面に対して略垂直に配置されていることを特徴とする３に記載の光学装置。
【００１２】
５．  前記収納部には開閉可能で閉方向に付勢されたシャッタ部が設けられ、前記カメラコネクタ部が前記本体コネクタ部に接続される時に、前記シャッタ部が開けられることを特徴とする２に記載の光学装置。
【００１３】
６．  前記収納部には前記カメラコネクタ部が挿脱できる孔部が設けられ、前記カメラコネクタ部が前記本体コネクタ部に接続される時に、前記カメラコネクタ部が前記孔部から突出することを特徴とする２に記載の光学装置。
【００１４】
７．  前記本体コネクタ部と前記カメラコネクタ部がＵＳＢコネクタであることを特徴とする２乃至６のいずれか１項に記載の光学装置。
【００１５】
８．  前記本体コネクタ部が凹形状であり、前記カメラコネクタ部が凸形状であることを特徴とする２乃至７のいずれか１項に記載の光学装置。
【００１６】
９．  前記本体信号交信部と前記カメラ信号交信部は、それぞれ赤外線通信部を有することを特徴とする１に記載の光学装置。
【００１７】
１０．  前記本体ユニットは検知スイッチと前記赤外線通信部に電源を供給する電源部が設けられ、前記カメラユニットが前記本体ユニットに装着された時に前記検知スイッチが作動し、前記検知スイッチの信号に応じて前記電源部が前記赤外線通信部に電源を供給することを特徴とする９に記載の光学装置。
【００１８】
１１．  被写体からの光を撮像素子に結像させる撮像レンズと、外部機器と信号交信するカメラ信号交信部とを有するカメラユニットであって、
前記撮像レンズは被写体からの光束を略直角に折り曲げる屈曲部を有し、
前記カメラ信号交信部は前記屈曲部の被写体とは反対側の位置に配置されていることを特徴とするカメラユニット。
【００１９】
１２．  前記カメラ信号交信部から送受信される信号を保存する記憶部が設けられていることを特徴とする１１に記載のカメラユニット。
【発明の効果】
【００２０】
本発明によれば、被写体からの光路をほぼ直角に折り曲げる屈曲部を有する撮像レンズと撮像素子とを有するカメラユニットを着脱自在に本体ユニットに装着させ、本体ユニットと信号を交信するカメラ信号交信部を屈曲部の被写体とは反対の部分に設けた構成とすることにより、カメラの携帯性を維持しつつ、カメラに付加機能を追加できる信号交信部を設けた光学装置およびカメラユニットを提供することができる。
【発明を実施するための最良の形態】
【００２１】
以下、本発明の第１実施形態について図面を参照しながら説明する。図１（ａ）は本体ユニットからカメラユニットを分離した状態を示す斜視図であり、図１（ｂ）は同じく装着した状態を示す斜視図であり、また、図２（ａ）は本体ユニットからカメラユニットを分離した状態を示す背面図であり、図２（ｂ）は同じく装着した状態を示す背面図であり、光学装置は、本体ユニット１とカメラユニット１０１が着脱自在に構成される。
【００２２】
まず、カメラユニット１０１の構成について説明する。カメラユニット１０１は、それ単独で撮像機能を有している。カメラユニット１０１は、カメラ筐体１１０の前面に撮像レンズ１１２、背面にカメラ表示部１１５、ズームボタン１１７、上面にレリーズボタン１１９、カメラ電源ボタン１２０、カメラ検知スイッチ１０９を備えている。
【００２３】
撮像レンズ１１２は、ズームレンズであり、カメラ筐体１１０の開口を介して被写体からの光を入射させ、開口には被写体からの光を入射させるためのレンズが図１に示すようにカメラユニット１０１の前面から見てカメラ筐体１１０の右側に配置されている。
【００２４】
カメラ表示部１１５は、液晶ディスプレイ（ＬＣＤ）からなり、カメラユニット１０１の背面において図２に示すように右側で、使用者がカメラユニット１０１を保持するのに妨げにならない位置に配置され、撮像した画像のほか光学装置の設定状況、操作案内など撮像画像に関連する情報を表示する。
【００２５】
ズームボタン１１７は撮像レンズ１１２の焦点距離を設定するのに用いられる。カメラ電源ボタン１２０はカメラユニット１０１の主電源のオン・オフを行い、カメラ電源ボタン１２０がオン状態で、レリーズボタン１１９をオンにするとカメラユニット１０１の露光が開始される。
【００２６】
カメラ検知スイッチ１０９は、カメラユニット１０１が本体ユニット１から分離した状態ではオフであり、カメラユニット１０１が本体ユニット１に装着されるとオンに切り換わる。
【００２７】
次に、本体ユニット１について説明する。本体ユニット１は、本体筐体１０の前面にフラッシュユニット１３、挿入部８、挿入部８の内部に本体検知スイッチ９、背面に本体表示部１５、表示窓１１、モード設定スイッチ１６、切り換えボタン１７、メニューボタン１８、上面にレリーズボタン１９、本体電源ボタン２０を備えている。
【００２８】
挿入部８は、本体ユニット１の側面の開口から横方向に箱形状の空洞であり、カメラユニット１０１を横型に収納し、カメラユニット１０１と着脱自在であり、カメラユニット１０１が収納されると図示しない連結機構により所定の位置でカメラユニット１０１を固定する。
【００２９】
本体表示部１５は、液晶ディスプレイ（ＬＣＤ）からなり、本体ユニット１の背面において図２に示すように左側に配置され、カメラユニット１０１で撮像した画像、その再生画像のほか光学装置の設定状況、操作案内など画像に関連する情報を表示する。
【００３０】
表示窓１１は、挿入部８に設けられ、カメラユニット１０１を本体ユニット１に装着した時、カメラ表示部１１５に対向し、カメラ表示部１１５の表示像を観察できるように、本体ユニット１の背面に貫通させた開口である。また、表示窓１１は、本体表示部１５と重ならないように図２に示すように右側に配置され、カメラ表示部１１５の一部を観察できる大きさである。
【００３１】
モード設定スイッチ１６は、カメラユニット１０１を装着した状態において撮像モード、再生モードの設定に用いられ、メニューボタン１８は、撮像時のホワイトバランス調整、露出補正、フラッシュモードなど、また再生時のヒストグラム表示などのメニューを起動させ、切り換えボタン１７は、メニューの選択、メニュー中のサブメニューの選択に用いられる。
【００３２】
本体検知スイッチ９は、カメラユニット１０１が本体ユニット１から分離した状態ではオフであり、カメラユニット１０１が本体ユニット１に装着されるとオンに切り換わる。
【００３３】
本体電源ボタン２０は本体ユニット１の主電源のオン・オフを行う。本体電源ボタン２０、カメラ電源ボタン１２０がオン状態でレリーズボタン１９をオンにすると、カメラユニット１０１の露光が開始され、撮像された画像や画像に関連する情報が、本体表示部１５、カメラ表示部１１５に表示される。
【００３４】
カメラユニット１０１と本体ユニット１の内部構成について、図３（ａ）、図３（ｂ）、図４を参照しながら説明する。図３（ａ）は本体ユニットからカメラユニットを分離した状態を示す透視図であり、図３（ｂ）は同じく装着した状態を示す透視図であり、図４は本体ユニットとカメラユニットの電気的構成を示すブロック図である。
【００３５】
カメラユニット１０１は、前述のように、撮像レンズ１１２およびカメラ表示部１１５のほか、図４に示す、撮像素子であるＣＣＤ１２８、信号処理部１２２、画像記録部１２３、操作部１２４、撮像レンズ駆動部１２５、通信用インターフェイス（以下、Ｉ／Ｆと言う）１３２、電源１３０、フラッシュメモリ１２７および制御部１２６を有している。
【００３６】
撮像レンズ１１２は、屈曲光学系のズームレンズであり、プリズムからなる屈曲部１８１により被写体からの光をほぼ直角に折り曲げ、ＣＣＤ１２８に結像させる。
【００３７】
図４に示すように、ＣＣＤ１２８は被写体からの光を色成分の画像信号に光電変換し、信号処理部１２２はＣＣＤ１２８から出力される画像信号のレベル調整を行い、Ａ／Ｄ変換部１１４は画像信号をデジタル信号に変換する。タイミング制御回路１３４は撮像素子１２８、信号処理部１２２、Ａ／Ｄ変換部１１４から信号を入出力させるタイミングを制御する。
【００３８】
画像処理部１２１はＡ／Ｄ変換された画像信号に黒レベル補正、γ補正、ホワイトバランス調整などの画像処理を行い、画像記録部１２３は画像処理部１２１から出力された画像信号を一時的に保存する。
【００３９】
操作部１２４は、ズームボタン１１７、レリーズボタン１１９、電源ボタン１２０の総称であり、使用者が操作したボタンに関する信号を制御部１２６に伝達する。
【００４０】
撮像レンズ駆動部１２５は、図示しないが、変倍機構、焦点調節機構、絞り機構を駆動する各モータとその駆動力を各レンズ群と絞りに伝達する伝達機構を有しており、撮像レンズ１１２の所望の焦点距離、撮像距離にするためにレンズ群を駆動させ、所望の露出値にするために絞りを駆動する。
【００４１】
カメラ信号交信部１３１は、撮像レンズ１１２の屈曲部１８１の被写体とは反対の部分に配置され、通信用Ｉ／Ｆ１３２の赤外線ポートから、赤外線透過窓１３１ａを介して本体ユニット１の赤外線ポートと信号の交信を行う。通信用Ｉ／Ｆ１３２は、カメラユニット１０１が本体ユニット１に装着された時にカメラ検知スイッチ１０９が作動して、カメラユニット１０１の電源１３０から電源の供給を受け、カメラ信号交信部１３１が本体ユニット１の後述する本体信号交信部と信号を交信することが可能となる。カメラ信号交信部１３１はＵＳＢコネクタでも良い。
【００４２】
フラッシュメモリ１２７は、カメラ信号交信部１３１から入力された情報を記録し、電源１３０がオフ状態でも情報を保存し、カメラユニット１０１に接続されたパーソナルコンピュータやプリンタなどの外部機器に情報を出力し、記録した情報を外部機器によって消去することができる記録部を有する。
【００４３】
制御部１２６は、操作部１２４、カメラ検知スイッチ１０９、通信用Ｉ／Ｆ１３２から信号を受信し、撮像レンズ駆動部１２５、タイミング制御回路１３４、画像処理部１２１、画像記録部１２３を介して、オートフォーカス制御、露出制御、ホワイトバランス制御などを行い、ＬＣＤ１１５の表示情報を一時的に保存するＶＲＡＭ１２９を介してＬＣＤ１１５を制御し、フラッシュメモリ１２７を制御する。
【００４４】
また、制御部１２６は、通信用Ｉ／Ｆ１３２を介して本体ユニット１側に送信する信号を制御し、画像処理部１２１から出力された画像信号から、撮像時のＬＣＤ表示に用いるライブビュー画像を生成し、また、画像信号から圧縮画像、サムネイル画像、タグ情報の画像データを生成し、通信用Ｉ／Ｆ１３２を介して本体ユニット１側にライブビュー画像や画像データの信号を送信する。なお、タグ情報は、コマ番号、露出値、圧縮率、撮像日時などの再生画像に関する信号である。
【００４５】
本体ユニット１の内部構成を説明する。本体ユニット１は、図１に示すように、本体表示部１５、フラッシュユニット１３のほか、図４に示すように、操作部２４、本体信号交信部３１、着脱可能であるメモリカード２３および制御部２６を有している。
【００４６】
操作部２４は、モード設定スイッチ１６、切り換えボタン１７、メニューボタン１８、レリーズボタン１９、電源ボタン２０の総称であり、使用者が操作したボタンに関する信号を制御部２６に伝達する。
【００４７】
本体信号交信部３１は、カメラ信号交信部１３１に対向して、挿入部８の奥の側面に設けられ、通信用Ｉ／Ｆ３２の赤外線ポートから、カメラユニット１０１側の赤外線ポートと信号の交信を行う。通信用Ｉ／Ｆ３２は、カメラユニット１０１が本体ユニット１に装着された時に本体検知スイッチ９が作動して、本体ユニット１の電源３０から電源の供給を受け、本体信号交信部３１がカメラ信号交信部１３１と信号を交信することが可能となる。本体信号交信部３１はＵＳＢコネクタでも良い。
【００４８】
メモリカード２３は、カメラユニット１０１からカメラ信号交信部１３１、本体信号交信部３２を介して送信される圧縮画像、サムネイル画像、タグ情報の画像データを記録する。
【００４９】
制御部２６は、フラッシュユニット１３、操作部２４、本体検知スイッチ９、通信用Ｉ／Ｆ３２から信号を受信し、フラッシュユニット１３、ＬＣＤ１５の表示情報を一時的に保存するＶＲＡＭ２９、メモリカード２３のインターフェイスであるカードＩ／Ｆ３３を制御し、また、通信用Ｉ／Ｆ３２を介してカメラユニット１０１側に送信するデータを制御する。
【００５０】
次に、光学装置の動作、本体ユニットとカメラユニットの交信制御について説明する。図５、図６のフロー図において、左側が本体ユニットのフロー図で、右側がカメラユニットのフロー図であり、両フロー図間を繋ぐ矢印は、矢印の方向に信号を送信することを示す。
【００５１】
本体ユニットの処理ルーチンは制御部２６が行い、カメラユニットの処理ルーチンは制御部１２６が行う。
【００５２】
本体ユニット１に設けられている本体電源ボタン２０が操作されて、本体電源ボタン２０がオン状態になると（Ｓ１０１）、電源３０から本体ユニット１の各部に電源が供給され、本体ユニット１が起動される。
【００５３】
次に、本体ユニット１は、本体検知スイッチ９のオン・オフをチェックして（Ｓ１０２）、オフ状態であると（Ｓ１０２；ＮＯ）カメラユニット１０１が装着されてない場合であり、本体ユニット１単独でもメモリカード２３に記憶された画像を本体表示部１５に表示させることが可能である単独再生モードになり、オン状態であると（Ｓ１０２；ＹＥＳ）カメラユニット１０１が装着されている場合であり、合体カメラモードになる。単独再生モードについては、説明は省略する。
【００５４】
同様に、カメラユニット１０１側でも、カメラ電源ボタン１２０がオン状態になると（Ｓ２０１）、電源１３０からカメラユニット１０１の各部に電源が供給され、カメラユニット１０１が起動される。
【００５５】
カメラユニット１０１は、カメラ検知スイッチ１０９のオン・オフをチェックして（Ｓ２０２）、カメラ検知スイッチ１０９がオフ状態であると（Ｓ２０２；ＮＯ）、カメラユニット１０１単独で撮像可能である単独カメラモードになり、オン状態であると（Ｓ２０２；ＹＥＳ）本体ユニット１に装着されている場合であり、合体カメラモードになる。単独カメラモードについては、説明は省略する。
【００５６】
合体カメラモードになると、まず、電源３０、１３０から電源が本体信号交信部３１、カメラ信号交信部１３１の赤外線通信部に供給され（Ｓ１０３、Ｓ２０３）、本体ユニット１とカメラユニット１０１は、撮像モードなどの設定信号を本体ユニット１とカメラユニット１０１との間で双方向に交信することを開始する（Ｓ１０４、Ｓ２０４）。
【００５７】
カメラユニット１０１は、撮像レンズ１１２で結像された光をＣＣＤ１２８に取り込み、光電変換、信号処理、Ａ／Ｄ変換、画像処理を行って、撮像を開始し（Ｓ２０５）、画像処理された画像信号からライブビュー画像を生成し、カメラ信号交信部１３１を介して本体ユニット１側にライブビュー画像の信号を送信する（Ｓ２０６）。
【００５８】
本体ユニット１は、ライブビュー画像の信号を受信し（Ｓ１０５）、ＬＣＤ１５の画面サイズに合うように画像の間引き処理を行い、ＶＲＡＭ２９を介してＬＣＤ１５にライブビュー画像を表示させ（Ｓ１０６）、レリーズボタン１９が押され、レリーズ信号がオンになるまで、ＬＣＤ１５に順次取り込んだライブビュー画像の信号に基づく画像を表示させる（Ｓ１０７）。
【００５９】
一方、カメラユニット１０１は、本体ユニット１側から受信した撮像モードの設定に関する信号に基づいて、ＶＲＡＭ１２９を介してＬＣＤ１１５に撮像モードなど撮像条件を表示させる（Ｓ２０７）。
【００６０】
次に、本体ユニット１のレリーズボタン１９が半押しされると（Ｓ１０７）、本体ユニット１がレリーズ信号をカメラユニット１０１側に送信する（Ｓ１０８）。カメラユニット１０１は、レリーズ信号を受信すると（Ｓ２０８）、オートフォーカス装置から検出した撮像距離と測光した露出値が固定される（Ｓ２０９）。
【００６１】
レリーズボタン１９がさらに押しこまれると、カメラユニット１０１は、測光した露出値で露光を開始し（Ｓ２１０）、被写体の輝度に応じてフラッシュユニット１３の発光の有無を判定し（Ｓ２１１）、輝度が高い場合には本体ユニット１側に発光信号を送信せず、輝度が低い場合には本体ユニット１側に発光信号を送信する（Ｓ２１２）。
【００６２】
本体ユニット１は、発光信号を受信すると（Ｓ１０９）、フラッシュユニット１３を発光させ（Ｓ１１０）、フラッシュ発光が終了すると、カメラユニット１０１側に発光終了信号を送信し（Ｓ１１１、Ｓ２１３）、ＣＣＤ１２８への露光が終了する（Ｓ２１４）。
【００６３】
カメラユニット１０１は、露光が終了した光をＣＣＤ１２８に取り込み、光電変換、信号処理、Ａ／Ｄ変換、画像処理を行わせ、画像処理された画像信号から圧縮画像、サムネイル画像、タグ情報である画像データを生成し（Ｓ２１５）、生成した画像データの信号を本体ユニット１側に送信する（Ｓ２１６）。
【００６４】
本体ユニット１は、画像データの信号を受信し（Ｓ１１２）、受信した画像データの信号から、ＬＣＤ１５の画面サイズに合うように画像の間引き処理を行い、間引き処理したアフタービュー画像をＬＣＤ１５に表示させ（Ｓ１１３）、画像データをメモリカード２３に記録させる（Ｓ１１４）。
【００６５】
ここまでの一連の撮像動作を終了すると待機状態となり、本体ユニット１、カメラユニット１０１は、本体検知スイッチ９、カメラ検知スイッチ１０９の状態をチェックし（Ｓ１１５、Ｓ２１７）、本体検知スイッチ９、カメラ検知スイッチ１０９がオフである場合には、各々赤外線通信部に電源を供給することを停止させ（Ｓ１１６、Ｓ２１８）、本体ユニット１では単独再生モードに進み、カメラユニット１０１では単独カメラモードに進む。
【００６６】
本体検知スイッチ９、カメラ検知スイッチ１０９がオフでない場合には本体電源ボタン２０、カメラ電源ボタン１２０の状態をチェックし（Ｓ１１７、Ｓ２１９）、本体電源ボタン２０、カメラ電源ボタン１２０がオフでない場合には、本体ユニット１側では、図５、図６に示すＣのルーチンを行い、Ｓ１０５からＳ１１７までのステップを繰り返し、カメラユニット１０１側では、図５、図６に示すＤのルーチンを行い、Ｓ２０５からＳ２１７までのステップを繰り返す。本体電源ボタン２０、カメラ電源ボタン１２０がオフである場合には、各々の電源をオフして撮像動作を終了する（Ｓ１１８、Ｓ２２０）。
【００６７】
以上説明したように、被写体からの光路をほぼ直角に折り曲げる屈曲部１８１を有する撮像レンズ１１２と撮像レンズ１１２からの光を受光する撮像素子１２８とを有するカメラユニット１０１を着脱自在に本体ユニット１に装着させ、本体ユニット１と信号を交信するカメラ信号交信部１３１を屈曲部１８１の被写体とは反対の部分に設けた構成であるので、カメラユニット１０１のカメラ筐体１１０内の余分な空間を削減して、カメラユニット１０１を小型にすることができ、携帯性が良好であり、またカメラユニット１０１が装着される本体ユニット１も小型にすることができる。
【００６８】
また、信号交信を赤外線で行う場合、カメラユニット１０１を本体ユニット１に装着すると本体検知スイッチ９、カメラ検知スイッチ１０９がオンになり、赤外線通信部に電源が供給される構成であるので、カメラユニット１０１と本体ユニット１を分離している時は、電源がオフであり省電力となる。
【００６９】
また、カメラユニット１０１は、フラッシュメモリ１２７などの記憶部を有するとともにパソコンなどの外部機器のＵＳＢコネクタと着脱可能に接続されるカメラ信号交信部１３１を有する構成であるので、撮像機能を有しつつ、小型で汎用性のある記憶媒体として利用することができる。
【００７０】
次に、第２実施形態を説明する。図７はカメラ信号交信部の接続コネクタを保護する収納部を設けたものであり、図７（ａ）はカメラユニットと本体ユニットを分離した状態を示し、図７（ｂ）はカメラユニットを本体ユニットに装着した状態を示す。なお、第１実施形態と同じ機能の部材には同じ番号を付し、重複する説明は省略する。
【００７１】
カメラユニット１０１の撮像レンズ１１２は、屈曲光学系のズームレンズであり、プリズムからなる屈曲部１８１により被写体からの光を略直角に折り曲げ、ＣＣＤ１２８に結像させる。
【００７２】
カメラ信号交信部１３１は、撮像レンズ１１２の屈曲部１８１の被写体とは反対の部分に配置され、ＵＳＢコネクタからなるカメラコネクタ部１３１ｂを有する。
【００７３】
カメラコネクタ部１３１ｂは、凸形状であり、屈曲部１８１の反射面１８１ａに対して略垂直に立ててカメラ筐体１１０に設けられている。
【００７４】
カメラ筐体１１０には収納部１３１ｃが設けられ、収納部１３１ｃは、カメラ筐体１１０に着脱自在に設けられる収納蓋であって、三角柱形状であり、カメラコネクタ部１３１ｂを本体ユニット１側に接続しない時には、カメラ筐体１１０に装着され、カメラコネクタ部１３１ｂを覆って、カメラ筐体１１０とともにカメラユニット１０１を矩形型に形成し、一方、カメラコネクタ部１３１ｂを本体ユニット１側に接続する時には、カメラ筐体１１０から外される。
【００７５】
本体ユニット１には、凹形状のＵＳＢコネクタからなる本体コネクタ部３１ｂが挿入部８の奥の側面に、カメラユニット１０１が装着されるとカメラコネクタ部１３１ｂに対向するように設けられている。
【００７６】
カメラユニット１０１を本体ユニット１に装着するには、図７（ａ）においてカメラユニット１０１の収納蓋を有する収納部１３１ｃをカメラ筐体１１０から取り外して、カメラユニット１０１を矢印に示す方向から挿入部８に挿入し、カメラコネクタ部１３１ｂが本体コネクタ部３１ｂに接続されると、図示しない連結機構でカメラユニット１０１が本体ユニット１に固定される。
【００７７】
以上説明したように、カメラコネクタ部１３１ｂが屈曲部１８１の反射面１８１ａに対して略垂直に配置され、カメラユニット１０１を本体ユニット１から分離した場合には、収納部１３１ｃがカメラコネクタ部１３１ｂを覆うことが可能である構成であるので、屈曲部１８１の被写体とは反対の空間を効率良く活用でき、カメラユニット１０１が小型になるとともに、カメラユニット１０１を単独で使用する場合、カメラコネクタ部１３１ｂを塵埃から保護することができる。また、ＵＳＢコネクタであるカメラコネクタ部１３１ｂが屈曲部１８１の反射面１８１ａに対して略垂直に配置され、収納部１３１ｃが前記カメラ筐体に着脱可能に装着される収納蓋を備えることにより、収納蓋を外すと直ぐにパーソナルコンピュータなどのＵＳＢコネクタに接続することができる。
【００７８】
次に、第３実施形態を説明する。図８はカメラ信号交信部の接続コネクタを保護する収納部に開閉自在であるシャッタを設けたものである。図８（ａ）はカメラユニットと本体ユニットを分離した状態を示し、図８（ｂ）はカメラユニットを本体ユニットに装着した状態を示す。
【００７９】
カメラユニット１０１の撮像レンズ１１２は、屈曲光学系のズームレンズであり、プリズムからなる屈曲部１８１により被写体からの光を略直角に折り曲げ、ＣＣＤ１２８に結像させる。
【００８０】
カメラ信号交信部１３１は、撮像レンズ１１２の屈曲部１８１の被写体とは反対の部分に配置され、ＵＳＢコネクタからなるカメラコネクタ部１３１ｂを有する。
【００８１】
カメラコネクタ部１３１ｂは、凸形状であり、撮像レンズ１１２の光軸１８２と平行にカメラ筐体１１０に設けられている。収納部１３１ｃは、カメラ筐体１１０に固定され、カメラコネクタ部１３１ｂに対向してシャッタ１３１ｄが設けられている。
【００８２】
シャッタ１３１ｄは、２枚で構成されて開閉可能であり、図８（ａ）に示すように閉じる方向に付勢され、収納部１３１ｃ内部のカメラコネクタ部１３１ｂの側へ上下に開く。シャッタ１３１ｄは片側に開閉する１枚構成のものでも良い。
【００８３】
本体ユニット１には、凹形状のＵＳＢコネクタからなる本体コネクタ部３１ｂが挿入部８の奥の側面から突出して設けられ、カメラユニット１０１が装着されると、詳細は図示しないが、本体コネクタ部３１ｂと係合して、シャッタ１３１ｄを押し開けるようになっている。
【００８４】
カメラユニット１０１を本体ユニット１に装着するには、図８（ａ）においてカメラユニット１０１を矢印に示す方向から挿入部８に挿入すると、本体コネクタ部３１ｂがシャッタ１３１ｄと係合してシャッタ１３１ｄを押し開け、カメラコネクタ部１３１ｂが本体コネクタ部３１ｂに接続され、図示しない連結機構でカメラユニット１０１が本体ユニット１に固定される。
【００８５】
以上説明したように、カメラコネクタ部１３１ｂが収納部１３１ｃに収められ、カメラコネクタ部１３１ｂが本体コネクタ部３１ｂに接続された時のみ、本体コネクタ部３１ｂがシャッタ１３１ｄを開ける構成であるので、屈曲部１８１の被写体とは反対の空間を効率良く活用でき、カメラユニット１０１が小型になるとともに、カメラユニット１０１を単独で使用する場合カメラコネクタ部１３１ｂを塵埃から保護することができる。
【００８６】
次に、第４実施形態を説明する。図９は、カメラコネクタを収納部から挿脱可能にしたものである。
【００８７】
カメラユニット１０１の撮像レンズ１１２は、屈曲光学系のズームレンズであり、プリズムからなる屈曲部１８１により被写体からの光を略直角に折り曲げ、ＣＣＤ１２８に結像させる。
【００８８】
カメラ信号交信部１３１は、撮像レンズ１１２の屈曲部１８１の被写体とは反対の部分に配置され、ＵＳＢコネクタからなるカメラコネクタ部１３１ｂを有する。
【００８９】
収納部１３１ｃは、カメラ筐体１１０に固定され、カメラコネクタ部１３１ｂが挿脱可能である孔１３１ｅが設けられている。
【００９０】
カメラコネクタ部１３１ｂは、凸形状であり、撮像レンズ１１２の光軸１８２と平行に移動可能であり、収納部１３１ｃに収納された収納位置と孔１３１ｅから突出して本体コネクタ部３１ｂと接続する突出位置とに移動させることができる。
【００９１】
収納部１３１ｃの外側には摺動自在であるスライダ１３１ｆが設けられ、スライダ１３１ｆを光軸１８２の方向に動かすと、それに連動してカメラコネクタ部１３１ｂが収納位置と突出位置に移動する。
【００９２】
本体ユニット１には、凹形状のＵＳＢコネクタからなる本体コネクタ部３１ｂが挿入部８の奥の側面に設けられ、カメラユニット１０１が装着されると、本体コネクタ部３１ｂがカメラコネクタ部１３１ｂと接続される。
【００９３】
カメラユニット１０１を本体ユニット１に装着するには、図９（ａ）のカメラユニット１０１において、スライダ１３１ｆを操作して、収納位置にあるカメラコネクタ部１３１ｂを突出位置まで移動させる。次に、図９（ａ）に示す矢印の方向からカメラユニット１０１を挿入部８に挿入すると、カメラコネクタ部１３１ｂが本体コネクタ部３１ｂに接続され、図示しない連結機構でカメラユニット１０１が本体ユニット１に固定される。
【００９４】
以上の構成により、屈曲部１８１の被写体とは反対の空間を効率良く活用でき、カメラユニット１０１が小型になるとともに、カメラユニット１０１を単独で使用する場合カメラコネクタ部１３１ｂを塵埃から保護することができる。
【００９５】
なお、コネクタは、ＵＳＢコネクタ以外の汎用性のあるものでもよく、光学装置専用のコネクタでも良い。また、コネクタ部の形状は、本体コネクタ部が凸形状で、カメラコネクタ部が凹形状であっても良い。
【図面の簡単な説明】
【００９６】
【図１】本発明の光学装置の分離状態を示す斜視図（ａ）および装着状態を示す斜視図（ｂ）。
【図２】本発明の光学装置の分離状態を示す背面図（ａ）および装着状態を示す背面図（ｂ）。
【図３】本発明の光学装置の分離状態を示す透視図（ａ）および装着状態を示す透視図（ｂ）。
【図４】本発明の光学装置の構成を模式的に示す図。
【図５】本発明の光学装置の分離、装着、撮像のフロー図。
【図６】本発明の光学装置の分離、装着、撮像のフロー図。
【図７】本発明の光学装置の第２実施形態の分離状態を示す透視図（ａ）、結合状態を示す透視図（ｂ）。
【図８】本発明の光学装置の第３実施形態の分離状態を示す透視図（ａ）、結合状態を示す透視図（ｂ）。
【図９】本発明の光学装置の第４実施形態の分離状態を示す透視図（ａ）、結合状態を示す透視図（ｂ）。
【符号の説明】
【００９７】
１  本体ユニット
８  挿入部
９  本体検知スイッチ
１０  本体筐体
１１  表示窓
１５  本体表示部
２０  本体電源スイッチ
２３  メモリカード
２４、１２４  操作部
２６、１２６  制御部
３１  本体信号交信部
３１ａ  本体コネクタ部
１０１  カメラユニット
１０９  カメラ検知スイッチ
１１０  カメラ筐体
１１２  撮像レンズ
１１５  カメラ表示部
１２０  カメラ電源スイッチ
１２８  撮像素子
１３１  カメラ信号交信部
１３１ａ  カメラコネクタ部
１３１ｃ  収納部
１３１ｄ  シャッタ部
１３１ｅ  孔
１８１  屈曲部
【図１】
2007174040.tif 000003
【図２】
2007174040.tif 000004
【図３】
2007174040.tif 000005
【図４】
2007174040.tif 000006
【図５】
2007174040.tif 000007
【図６】
2007174040.tif 000008
【図７】
2007174040.tif 000009
【図８】
2007174040.tif 000010
【図９】
2007174040.tif 000011